(57)【要約】【課題】ＱＲコードなどの２次元コードが含まれた文書における２次元コードの配置位置の調整が可能なドキュメント処理装置を提供する。【解決手段】ファクシミリ複合装置１では、ＱＲコードを含む文書を読取部１４で読み取って得られた元画像データは、記憶部１７に記憶される。記憶された元画像データに対してＱＲコードの検出処理を行い、ＱＲコード画像が含まれている場合は、元画像データからＱＲコード画像を抽出して記憶すると共に、元画像データにおけるＱＲコード画像部分を白画像に置き換えた抽出済画像データを作成して記憶する。文書利用者によって同一ページ内へのＱＲコードの再配置が指定されたときは、抽出済画像データに対して指定された再配置位置にＱＲコード画像を合成して編集後画像データを作成する。【選択図】図１
2008250518.tif 000002
【特許請求の範囲】
【請求項１】
２次元コードを含む文書をスキャンして得られた元画像データが記憶される画像データ記憶手段と、
前記２次元コードの配置位置を指定する位置指定手段と、
前記元画像データから前記２次元コードを抽出し、前記位置指定手段によって指定された配置位置に前記２次元コードを配置した編集後画像データを作成する編集手段と、
前記編集手段からの編集後画像データに所定のドキュメント処理を行うドキュメント処理手段と、を備えることを特徴とするドキュメント処理装置。
【請求項２】
請求項１に記載のドキュメント処理装置において、
前記編集手段は、前記位置指定手段によって前記文書と同じページ内の位置が指定されたときは、前記元画像データと同じページ内に前記２次元コードを配置した編集後画像データを作成することを特徴とするドキュメント処理装置。
【請求項３】
請求項１に記載のドキュメント処理装置において、
前記編集手段は、前記位置指定手段によって前記文書とは別のページの位置が指定されたときは、前記元画像データとは別のページに前記２次元コードだけを配置した編集後画像データを作成することを特徴とするドキュメント処理装置。
【請求項４】
請求項１ないし請求項３のいずれかに記載のドキュメント処理装置において、
前記編集手段は、抽出した２次元コードをデコードして復元データを取得し、取得した復元データを配置して編集後画像データを作成することを特徴とするドキュメント処理装置。
【請求項５】
請求項１ないし請求項４のいずれかに記載のドキュメント処理装置において、
前記ドキュメント処理手段は、編集後画像データを記録紙に印刷することを特徴とするドキュメント処理装置。
【請求項６】
請求項１ないし請求項４のいずれかに記載のドキュメント処理装置において、
前記ドキュメント処理手段は、編集後画像データを所定の記憶装置に記憶させることを特徴とするドキュメント処理装置。
【発明の詳細な説明】
【技術分野】
【０００１】
本発明は、２次元コードが含まれる画像データにおいて２次元コードに関する編集が可能なドキュメント処理装置に関する。
【背景技術】
【０００２】
近年、ＱＲコード（Quick Response code）と称される２次元コードが文字情報と共に紙面に表示された文書が普及している。ＱＲコードを含む文書を作成する装置は、例えば特許文献１に開示されている。
【０００３】
ＱＲコードは、特定の情報を変換したコードであり、例えば携帯電話機での処理を簡略化するために用いられている。例えばＱＲコードが所定のＷｅｂサイトのアドレス情報を変換したコードである場合は、携帯電話機のカメラでＱＲコードを撮影して画像データとして取り込み、取り込んだ画像データに所定の変換処理を施してアドレス情報を復元し、そのアドレス情報に基づいて携帯電話機ではＷｅｂサイトへのアクセス処理が行われる。
【特許文献１】特開２００６−３０３８０１号公報
【発明の開示】
【発明が解決しようとする課題】
【０００４】
ＱＲコードが含まれている文書は、文書内でのＱＲコードの配置位置が文書を受け取ったユーザにとって適切ではない場合がある。つまり、文書作成者は、自分が最適だと考える位置にＱＲコードを配置した文書を作成するけれども、文書作成者が最適だと考えた位置が、文書利用者にとっても最適な位置であるとは限らない。例えば、文書作成者が、ＱＲコードを文書の右上角に配置するのが最適だと考えたとしても、文書の右下角に配置されている方が都合がよいと考える文書利用者もいれば、文書の左下角が最適だと考える文書利用者もいる。
【０００５】
そこで、本発明の解決すべき課題は、ＱＲコードなどの２次元コードが含まれた文書における２次元コードの配置位置の調整が可能なドキュメント処理装置を提供することである。
【課題を解決するための手段】
【０００６】
上記の課題を解決するため、請求項１の発明では、２次元コードを含む文書をスキャンして得られた元画像データが記憶される画像データ記憶手段と、前記２次元コードの配置位置を指定する位置指定手段と、前記元画像データから前記２次元コードを抽出し、前記位置指定手段によって指定された配置位置に前記２次元コードを配置した編集後画像データを作成する編集手段と、前記編集手段からの編集後画像データに所定のドキュメント処理を行うドキュメント処理手段とを備える。
【０００７】
また、請求項２の発明では、請求項１の発明に係るドキュメント処理装置において、前記編集手段は、前記位置指定手段によって前記文書と同じページ内の位置が指定されたときは、前記元画像データと同じページ内に前記２次元コードを配置した編集後画像データを作成する。
【０００８】
また、請求項３の発明では、請求項１の発明に係るドキュメント処理装置において、前記編集手段は、前記位置指定手段によって前記文書とは別のページの位置が指定されたときは、前記元画像データとは別のページに前記２次元コードだけを配置した編集後画像データを作成する。
【０００９】
また、請求項４の発明では、請求項１ないし請求項３のいずれかの発明に係るドキュメント処理装置において、前記編集手段は、抽出した２次元コードをデコードして復元データを取得し、取得した復元データを配置して編集後画像データを作成する。
【００１０】
また、請求項５の発明では、請求項１ないし請求項４のいずれかの発明に係るドキュメント処理装置において、前記ドキュメント処理手段は、編集後画像データを記録紙に印刷する。
【００１１】
また、請求項６の発明では、請求項１ないし請求項４のいずれかの発明に係るドキュメント処理装置において、前記ドキュメント処理手段は、編集後画像データを所定の記憶装置に記憶させる。
【発明の効果】
【００１２】
請求項１に記載の発明によれば、２次元コードを含む文書をスキャンして得られた元画像データに基づいて、位置指定手段によって指定された配置位置に２次元コードが配置された編集後画像データが作成され、作成された編集後画像データに所定のドキュメント処理が行われる。これによって、文書利用者が希望する位置に２次元コードが配置された編集後画像データを作成することができるので、文書利用者が使いやすい文書を得ることができる。また、編集後画像データに基づく所定のドキュメント処理、例えば印刷や保存等を行うので、文書利用者が望む態様でドキュメント処理を行うことができる。
【００１３】
請求項２に記載の発明によれば、２次元コードが含まれていた文書と同じページ内で利用者が希望する位置に２次元コードを配置することができる。
【００１４】
請求項３に記載の発明によれば、２次元コードが含まれていた文書とは別のページに２次元コードだけを配置することができる。これによって、２次元コードを見つけやすくなる。
【００１５】
請求項４に記載の発明によれば、２次元コードをデコードして得られた復元データを含む文書を得ることができるので、文書を利用するたびに２次元コードをデコードする手間を省くことが可能となる。
【００１６】
請求項５に記載の発明によれば、編集後画像データが記録紙に印刷されるので、２次元コードが利用者の所望の位置に配置された文書を利用することができ、また紙媒体での文書の保存が可能となる。
【００１７】
請求項６に記載の発明によれば、編集後画像データが所定の記憶装置に記憶されるので、２次元データが利用者の所望の位置に配置された文書を、画像データとして保存することが可能となる。
【発明を実施するための最良の形態】
【００１８】
図１は、本発明の一実施形態に係るドキュメント処理装置としてのファクシミリ複合装置１の構成を示すブロック図である。ファクシミリ複合装置１の機能には、プリンタ機能、ファクシミリ機能、インターネットファクシミリ機能、コピー機能、及びスキャナ機能等が含まれている。このファクシミリ複合装置１は、ネットワーク（例えばＬＡＮ）２２を介してパーソナルコンピュータなどの複数の外部処理装置３１と接続され、外部処理装置３１からの指示によっても、上記の各機能を実行することが可能である。
【００１９】
ファクシミリ複合装置１は、図１に示すように、制御部１１と、該制御部１１にバス１２を介して接続された記録部１３、読取部１４、表示部１５、操作部１６、記憶部１７、モデム１８、ＮＣＵ（Network Control Unit）１９、及びネットワーク通信部２０を備えている。
【００２０】
制御部１１は、このファクシミリ複合装置１の制御を統括するものであり、ＣＰＵ等を備えて構成されている。この制御部１１には、機能要素として、編集手段としての編集部１１ａ及びドキュメント処理手段としてのドキュメント処理部１１ｂが備えられている。編集部１１ａ及びドキュメント処理部１１ｂの役割等は、後述する。
【００２１】
記録部１３は、例えば電子写真方式のプリンタ装置であり、外部処理装置３１から与えられた印刷データ、読取部１４によって読み取られた画像データ、ファクシミリ受信した画像データ等を記録紙等に印刷する。読取部１４は、原稿の読み取りを行うものであり、ファクシミリ送信時の原稿の読み取りや、コピー機能及びスキャナ機能使用時の原稿の読み取り等に用いられる。
【００２２】
表示部１５は、液晶表示装置等によって構成され、このファクシミリ複合装置１の操作情報等の表示に用いられる。操作部１６は、複数の操作ボタンやタッチパネル等によって構成され、このファクシミリ複合装置１の操作に用いられる。文書利用者は、位置指定手段としての操作部１６を操作して、ＱＲコードの配置位置を指定する。
【００２３】
記憶部１７は、ＲＯＭ、ＲＡＭ等の記憶装置を備えて構成されている。ＲＯＭには、制御部１１が実行する制御プログラム等が記憶されている。ＲＡＭには、外部処理装置３１から送信された印刷データ、ファクシミリ機能使用時にＮＣＵ１９を介して送受信されたファクシミリの送受信画像データ、コピー機能やスキャナ機能使用時に読み取られた画像データ、及びファクシミリ複合装置１の設定や保守管理等に関するデータ等が含まれている。尚、記憶部１７は画像データ記憶手段に相当する。
【００２４】
モデム１８は、ファクシミリ通信が可能なファクシミリモデムから構成されている。また、モデム１８は、ＮＣＵ１９と直接接続されている。ＮＣＵ１９は、アナログの公衆電話回線網（ＰＳＴＮ）２１との回線の閉結及び開放の動作を行うハードウェアであり、必要に応じてモデム１８を公衆電話回線網２１と接続する。なお、ＩＳＤＮ用インターフェースを備えることによって、デジタル回線網（ＩＳＤＮ）に接続するようにしてもよい。
【００２５】
ネットワーク通信部２０は、ネットワーク（ＬＡＮ及びインターネット等の外部ネットワーク）２２を介したデータ通信を担っている。より詳細には、ネットワーク通信部２０には、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部２０の具体的な機能としては、電子メールの送受、電子メールに画像データを添付して送受するインターネットファクシミリの送受、及び、ＬＡＮ又はインターネットを介したデータの送受等が含まれている。
【００２６】
本実施形態は、２次元コードとしてのＱＲコードを含む文書に関して、ＱＲコードの位置を文書利用者が希望する位置に変更可能として、文書利用者の利便性の向上を図ることを主眼とするものである。
【００２７】
図３は、ＱＲコードを含む文書をスキャンしてＱＲコードの位置の配置調整（再配置）を実行する際のファクシミリ複合装置１の処理動作を示すフローチャートである。この処理は、例えばユーザが操作部１６を操作して読取部１４による文書の読取りの実行を指示すると開始される。
【００２８】
ステップＳ１では、読取部１４は、ユーザによって供給された文書をスキャンし、得られた画像データ（元画像データという。）を記憶部１７に記憶させる。本実施形態では、図２（ａ）に示されるように、ページの右上角にＱＲコード画像４１ａが記された元画像データ４１を例にとり説明する。
【００２９】
ステップＳ２では、編集部１１ａは、記憶部１７に記憶されている元画像データ４１に対して、ＱＲコード検出処理を実行する。この検出処理は、元画像データ４１内にＱＲコード画像４１ａが含まれているか否かを解析することによって行われる。
【００３０】
ステップＳ３では、編集部１１ａは、検出処理の処理結果に基づいて、元画像データ４１内にＱＲコード画像４１ａが含まれているか否かを判断する。ＱＲコード画像４１ａが含まれていると判断された場合は、ステップＳ４に進み、ＱＲコード画像４１ａが含まれていないと判断された場合は、ステップＳ７に進む。
【００３１】
ステップＳ４では、編集部１１ａは、元画像データ４１からＱＲコード画像４１ａを抽出して記憶すると共に、元画像データ４１におけるＱＲコード画像４１ａ部分を白画像に置き換えた抽出済画像データ４２（図２（ｃ）参照）を作成して記憶する。
【００３２】
ステップＳ５では、文書利用者によってＱＲコードの配置位置の指定が行われる。配置位置の指定は、例えば、文書利用者が表示部１５に表示された文書の輪郭を示す枠線を見ながら操作部１６を操作して、枠線内の所望の位置にカーソルを移動させて決定ボタンを押すことによって指定が行われる。さらに文書利用者は、同一ページ内への配置か、別ページへの配置かを選択する。
【００３３】
ステップＳ６では、編集部１１ａは、文書利用者によって指定された配置位置にＱＲコード画像４１ａを配置して編集後画像データ５１を作成する。同一ページ内への配置が指定された場合は、図２（ｂ）に示すように、抽出済画像データ４２に対して指定された配置位置（ここでは右下角）にＱＲコード画像４１ａを合成して編集後画像データ５１を作成する。また、別ページへの配置が指定された場合は、図２（ｃ）に示すように、抽出済画像データ４２とは別に作成した１ページ分の白画像データ４３に対して指定された配置位置（ここでは中央部上方側）にＱＲコード画像４１ａを合成して付加画像データ４４を作成し、抽出済画像データ４２と付加画像データ４４との２ページ分のデータを編集後画像データ５１とする。
【００３４】
ステップＳ７では、ドキュメント処理部１１ｂは、作成された編集後画像データ５１に対して所定のドキュメント処理を行う。ドキュメント処理とは、例えば編集後画像データ５１の印刷処理、保存処理、送信処理などである。
【００３５】
印刷処理では、編集後画像データ５１は記録部１３に与えられて記録紙に印刷される。図２（ｂ）に示すように編集後画像データ５１が１ページで構成されている場合は、記録紙の片面に印刷を行う。一方、図２（ｃ）示すように編集後画像データ５１が２ページで構成されている場合は、２枚の記録紙の片面に各ページを印刷してもよいし、１枚の記録紙の両面に各ページを印刷してもよい。
【００３６】
保存処理では、編集後画像データ５１を所定の記憶装置に記憶させる。例えば、ファクシミリ複合装置１内の記憶部１７に記憶させるようにしてもよいし、ネットワーク２２を介して接続された外部記憶装置に記憶させるようにしてもよい。
【００３７】
送信処理では、編集後画像データ５１をファクシミリで送信してもよいし、インターネットファクシミリで送信してもよいし、電子メールで送信してもよい。
【００３８】
以上のように本実施形態によれば、ＱＲコードを含む文書をスキャンして得られた元画像データ４１に基づいて、文書利用者によって指定された配置位置にＱＲコード画像４１ａが配置された編集後画像データ５１が作成され、作成された編集後画像データ５１に所定のドキュメント処理が行われる。これによって、文書利用者が希望する位置にＱＲコード画像４１ａが配置された編集後画像データ５１を作成することができるので、文書利用者が使いやすい文書を得ることができる。また、編集後画像データ５１に基づく所定のドキュメント処理、例えば印刷、保存、送信等を行うので、文書利用者が望む態様でドキュメント処理を行うことができる。
【００３９】
また、ＱＲコードが含まれていた文書とは別のページにＱＲコードだけを配置した場合は、ＱＲコードを見つけやすくなる。
【００４０】
上記実施形態では、読取部１４によって得られた元画像データ４１に対して実施する場合を説明したけれども、ファクシミリやインターネットファクシミリで受信した元画像データに対して実施してもよい。
【００４１】
上記実施形態では、文書利用者が指定した配置位置にＱＲコードを配置するようにしたけれども、ＱＲコードをデコードして得られた復元データを配置するようにしてもよい。この場合は、ＱＲコードをデコードして得られた復元データを含む文書を得ることができるので、文書を利用するたびにＱＲコードをデコードする手間を省くことが可能となる。
【００４２】
上記実施形態では、ファクシミリ複合装置１で実施する場合を説明したけれども、読取機能を備えた装置や画像データの受信機能を備えた装置、例えばスキャナを備えたパーソナルコンピュータやファクシミリ装置で実施するようにしてもよい。
【００４３】
上記実施形態では、ＱＲコードについて説明したけれども、情報をパターン画像で表記してなる２次元コードであれば、同様に実施することができる。
【図面の簡単な説明】
【００４４】
【図１】本発明の一実施形態に係るドキュメント処理装置としてのファクシミリ複合装置のブロックである。
【図２】（ａ）は元画像データを示す模式図であり、（ｂ）及び（ｃ）は編集後画像データを示す模式図である。
【図３】ＱＲコードを含む文書をスキャンしてＱＲコードの配置位置の調整を実行する際のファクシミリ複合装置の処理動作を示すフローチャートである。
【符号の説明】
【００４５】
１  ファクシミリ複合装置
１１  制御部
１１ａ  編集部
１１ｂ  ドキュメント処理部
１３  記録部
１４  読取部
１５  表示部
１６  操作部
１７  記憶部
２０  ネットワーク通信部
４１  元画像データ
４１ａ  ＱＲコード画像
４２  抽出済画像データ
４３  白画像データ
４４  付加画像データ
５１  編集後画像データ
【図１】
2008250518.tif 000003
【図２】
2008250518.tif 000004
【図３】
2008250518.tif 000005